(57)【要約】【課題】  カッタの周囲のスペースに制約がある場合においても、開閉蓋が開けられた場合に、カッタが露出しない状態にするプリンタを提供する。【解決手段】  ロール紙を収納する収納部２２と、収納部２２を覆う開閉可能な開閉蓋２１と、ロール紙から引き出された記録紙を紙送りする紙送りローラ２４と、紙送りされる記録紙に印刷を行う印刷ヘッドと、切断位置で記録紙を切断し、切断位置と格納位置の間を移動できる回転アーム２５に取り付けられたカッタ２６と、格納位置でカッタ２６を覆うカッタカバー２７とを備え、開閉蓋２１の開操作に伴って、カッタ２６が切断位置から格納位置に移動し、開閉蓋２１の閉操作に伴って、カッタ２６が格納位置から切断位置に移動することを特徴とするカッタ機構を備えたプリンタを提供する。【選択図】図５
2005161832.tif 000002
【特許請求の範囲】
【請求項１】
ロール紙を収納する収納部と、
前記収納部を覆う開閉可能な開閉蓋と、
前記ロール紙から引き出された記録紙を紙送りする紙送りローラと、
紙送りされる前記記録紙に印刷を行う印刷ヘッドと、
切断位置で前記記録紙を切断し、前記切断位置と格納位置の間を移動できるカッタと、
前記格納位置で前記カッタを覆うカッタカバーと、
を備え、
前記開閉蓋の開操作に伴って、前記カッタが前記切断位置から前記格納位置に移動し、
前記開閉蓋の閉操作に伴って、前記カッタが前記格納位置から前記切断位置に移動するこ
とを特徴とするカッタ機構を備えたプリンタ。
【請求項２】
前記カッタは、根元から刃先に至る途中で、その刃先側が前記格納位置で前記カッタカ
バー側の方向に屈曲した形状を有することを特徴とする請求項１に記載のカッタ機構を備
えたプリンタ。
【請求項３】
ロール紙を収納する収納部と、
前記収納部を覆う開閉可能な開閉蓋と、
前記ロール紙から引き出された記録紙を紙送りする紙送りローラと、
紙送りされる前記記録紙に印刷を行う印刷ヘッドと、
切断位置で前記記録紙を切断し、前記切断位置と待避位置の間を移動できるカッタと、
前記待避位置で前記カッタの先端側に当接する内壁を有するカッタカバーと、
を備え、
前記開閉蓋の開操作に伴って、前記カッタが前記切断位置から前記退避位置に移動し、
前記開閉蓋の閉操作に伴って、前記カッタが前記待避位置から前記切断位置に移動するこ
とを特徴とするカッタ機構を備えたプリンタ。
【請求項４】
前記カッタは、根元から刃先に至る途中で屈曲した形状を有し、その刃先側が前記格納
前記退避位置で前記カッタカバーの内壁に沿って当接される角度で形成されていることを
特徴とする請求項３に記載のカッタ機構を備えたプリンタ
【請求項５】
前記カッタが回転可能なアームに設置されたことを特徴とする請求項１から４の何れか
１項に記載のカッタ機構を備えたプリンタ。
【請求項６】
前記開閉蓋の開操作に伴って、前記アームに加えられた弾性体の付勢力により、前記カ
ッタが前記切断位置から前記格納位置又は前記退避位置に移動し、
前記開閉蓋の閉操作に伴って、前記アームと前記開閉蓋又は前記開閉蓋に備えられた部
材とが当接することにより、前記カッタが前記格納位置又は前記退避位置から前記切断位
置に移動することを特徴とする請求項１から５のいずれか１項に記載のカッタ機構を備え
たプリンタ。
【請求項７】
前記開閉蓋が回転して開閉することを特徴とする請求項１から６の何れか１項に記載の
カッタ機構を備えたプリンタ。
【請求項８】
前記開閉蓋に回転可能なプラテンが更に備えられ、
前記開閉蓋の開操作に伴って、前記プラテンが前記印刷ヘッドの近接対向位置から後退し
、
前記開閉蓋の閉操作に伴って、前記プラテンが前記印刷ヘッドの近接対向位置に向けて
前進することを特徴とする請求項１から７の何れか１項に記載のカッタ機構を備えたプリ
ンタ。
【請求項９】
前記紙送りローラが前記開閉蓋側に設置され、
弾性体の付勢力により前記記録紙を前記紙送りローラ側へ押し付ける押さえローラがプリ
ンタ本体側に設置され、
前記押さえローラの付勢力を用いて、前記開閉蓋を閉じた状態に保持することを特徴と
する請求項１から８の何れか１項に記載のカッタ機構を備えたプリンタ。
【発明の詳細な説明】
【技術分野】
【０００１】
本発明は、ロール紙プリンタにおいて、ロール紙の収納部を覆う開閉蓋を開けた場合に
、カッタが外部に露出しないようにするカッタ機構及びこのカッタ機構を備えたプリンタ
に関する。
【背景技術】
【０００２】
記録紙をロール状に巻いたロール紙を収納部に収め、そのロール紙から引き出された記
録紙を紙送りローラで紙送りしながら、印刷ヘッドで印刷を行うロール紙プリンタが普及
している。印刷された記録紙は排出口からプリンタの機外へ排出され、所定の印刷が終了
すると、プリンタの排出口に設置されたカッタを用いて記録紙を切断することができる。
カッタとしては、記録紙の排出口に固定刃を設置して、記録紙を固定刃に押し当てて切断
する手動カッタや、モータの駆動力等を用いて可動刃を動かして、記録紙を切断するオー
トカッタ等が挙げられる。
【０００３】
ロール紙を交換するときには、開閉蓋を開けて収納部を開放する必要がある。開閉蓋が
閉じられた状態では、手動カッタであってもオートカッタであっても、カッタは外部に露
出しない位置に設置可能であるが、開閉蓋を開けた場合には、カッタが外部に露出する可
能性があり、カッタが損傷する恐れがある。これを解決するために、例えば特許文献１に
は、可動式のカッタカバーを備えて、開閉蓋が開けられた場合には、カッタカバーをカッ
タを覆う位置に移動させてこれを覆い、開閉蓋が閉じられた場合には、切断を干渉しない
ように、カッタを覆っていたカッタカバーを退避させる機構が提案されている。
【特許文献１】特開２００１−２０５８９６号
【発明の開示】
【発明が解決しようとする課題】
【０００４】
カッタカバーを用いてカッタが外部に露出しないように覆うためには、カッタカバーは
カッタに対して十分に大きく取る必要があり、かなり大きなものになる。従って、特許文
献１に提案されているようなカッタカバーを移動させる方法では、カッタの周囲に、カッ
タカバーが移動するためのスペースと、このカッタカバーを動かす機構を設置するための
スペースが必要となり、かなり大きなスペースを要するようになると考えられる。
【０００５】
カッタの周囲のスペースに比較的余裕のある中、大型のプリンタでは、カッタカバーを
移動させる方法も実現可能であるが、小型のプリンタや、プリンタの周囲に他の機器が設
置されているような場合には、カッタの周りのスペースに制約があり、これを実現するこ
とは困難である。
【０００６】
従って、本発明の目的は、上述した従来の問題を解決して、カッタの周囲のスペースに
制約がある場合でも、開閉蓋が開けられた場合に、カッタが外部に露出しない状態を作れ
る機構、及び、その機構を備えたプリンタを提供することにある。
【課題を解決するための手段】
【０００７】
上記の目的を達成するため、本発明のカッタ機構を備えたプリンタの第１の実施態様は
、ロール紙を収納する収納部と、収納部を覆う開閉可能な開閉蓋と、ロール紙から引き出
された記録紙を紙送りする紙送りローラと、紙送りされる記録紙に印刷を行う印刷ヘッド
と、切断位置で記録紙を切断し、切断位置と格納位置の間を移動できるカッタと、格納位
置でカッタを覆うカッタカバーと、を備え、開閉蓋の開操作に伴って、カッタが切断位置
から格納位置に移動し、開閉蓋の閉操作に伴って、カッタが格納位置から切断位置に移動
することを特徴とする。
【０００８】
本実施態様によれば、カッタを移動させることによって、カッタ周囲のスペースが限ら
れていても、開閉蓋が開かれたときに、カッタが外部へ露出しない状態を作ることができ
る。
【０００９】
本発明のカッタ機構を備えたプリンタの他の実施態様は、前記カッタは、根元から刃先
に至る途中で、その刃先側が前記格納位置で前記カッタカバー側の方向に屈曲した形状を
有することを特徴とする。
【００１０】
本実施形態によれば、カッタを適切な角度、即ち最も紙の切れ味が良好な角度で屈曲さ
せ、カッタカバーの形状をカッタの角度にフィットさせるとともに、カッタを狭いスペー
スに格納することができる。
【００１１】
本発明のカッタ機構を備えたプリンタの他の実施態様は、ロール紙を収納する収納部と
、前記収納部を覆う開閉可能な開閉蓋と、前記ロール紙から引き出された記録紙を紙送り
する紙送りローラと、紙送りされる前記記録紙に印刷を行う印刷ヘッドと、切断位置で前
記記録紙を切断し、前記切断位置と待避位置の間を移動できるカッタと、前記待避位置で
前記カッタの先端側に当接する内壁を有するカッタカバーと、を備え、前記開閉蓋の開操
作に伴って、前記カッタが前記切断位置から前記退避位置に移動し、前記開閉蓋の閉操作
に伴って、前記カッタが前記待避位置から前記切断位置に移動することを特徴とする。
【００１２】
本実施態様によれば、カッタをカッタカバーに当接させた状態で待避させることによっ
て、カッタ周囲のスペースが限られていても、開閉蓋が開かれたときに、カッタの刃先が
直接露出しない状態を保ち、安全性を高めることができる。
【００１３】
本発明のカッタ機構を備えたプリンタの他の実施態様は、前記カッタは、根元から刃先
に至る途中で屈曲した形状を有し、その刃先側が前記格納位置又は前記退避位置で前記カ
ッタカバーの内壁に沿って当接される角度で形成されていることを特徴とする。
本実施形態によれば、カッタを適切な角度で屈曲させることにより、カッタの刃先がカ
ッタカバーの形状に沿って密着した状態を保ちつつ狭いスペースにカッタを待避させるこ
とができる。
【００１４】
本発明のカッタ機構を備えたプリンタの他の実施態様は、カッタが回転可能なアームに
設置されたことを特徴とする。
【００１５】
本実施態様によれば、回転可能なアームを用いることによって、単純な構造でスペース
を取ることなくカッタを移動させることができる。
【００１６】
本発明のカッタ機構を備えたプリンタの他の実施態様は、開閉蓋の開操作に伴って、ア
ームに加えられた弾性体の付勢力により、カッタが切断位置から格納位置に移動し、開閉
蓋の閉操作に伴って、アームと開閉蓋又は開閉蓋に備えられた部材とが当接することによ
り、カッタが格納位置から切断位置に移動することを特徴とする。
【００１７】
本実施態様によれば、バネ等の弾性体の付勢力と、開閉蓋とアームの当接を用いること
によって、カッタを移動させることを、単純な構造でスペースを取ることなく、低コスト
で実現できる。
【００１８】
本発明のカッタ機構を備えたプリンタの他の実施態様は、開閉蓋が回転して開閉するこ
とを特徴とする。
【００１９】
本発明のカッタ機構を備えたプリンタの他の実施態様は、開閉蓋に回転可能なプラテン
が更に備えられ、開閉蓋の開操作に伴って、プラテンが印刷ヘッドの近接対向位置から後
退し、開閉蓋の閉操作に伴って、プラテンが印刷ヘッドの近接対向位置に向けて前進する
ことを特徴とする。
本実施態様によれば、開閉蓋の先端に取り付けられるプラテンを回転可能にすることに
よって、開閉蓋の開閉に伴う最大回転半径を小さくすることが可能であり、カッタや印刷
ヘッド周りの省スペース化を実現できる。
【００２０】
本発明のカッタ機構を備えたプリンタの他の実施態様は、紙送りローラが開閉蓋側に設
置され、弾性体の付勢力により記録紙を紙送りローラ側へ押し付ける押さえローラがプリ
ンタ本体側に設置され、押さえローラの付勢力を用いて、開閉蓋を閉じた状態に保持する
ことを特徴とする。
【００２１】
本実施態様によれば、押さえローラの付勢力を用いることにより、新たなロック機構を
備えずに、開閉蓋を閉状態にロックすることができ、省スペースとコスト削減が図れる。
【発明の効果】
【００２２】
本発明のカッタ機構を備えたプリンタによれば、開閉蓋の開閉に伴って、カッタを切断
位置と格納位置との間を移動させることによって、カッタの周囲のスペースに制約があっ
ても、開閉蓋の開閉にかかわらず、カッタが外部へ露出しない状態を保持することができ
る。
【００２３】
また、カッタをカッタカバーの形状に沿う配置で格納又は待避させることができ、カッ
タ機構の省スペース化を図るとともに安全性を高めることができる。
【００２４】
また、開閉蓋に回転可能なプラテンと組み合わせることによって、更に、カッタや印刷
ヘッド周りの省スペース化を図ることができる。
【発明を実施するための最良の形態】
【００２５】
次に、図面を参照しながら、本発明を実施するための最良の形態を説明する。以下では
、カッタ機構の構造がそれぞれ異なる第１実施形態及び第２実施形態について説明する。
（第１実施形態におけるカッタ機構を備えたプリンタ全体）
まず、第１実施形態のプリンタ全体の構成を説明する。第１実施形態では、カッタ機構
としてのカッタ格納機構を備えたプリンタに対し本発明を適用したものである。図１と図
２は、このカッタ格納機構を備えたプリンタ１００の外形を示す斜視図である。このプリ
ンタ１００においては、単票紙をＵ字型の搬送路上において搬送して、画像の読み取りや
印刷を行う第１の印刷機構１と、それに直交する搬送路を備えて、ロール紙に印刷を行う
第２の印刷機構５が設置されている。
【００２６】
第１の印刷機構は、単票紙を矢印Ａの方向からＵ字型の搬送路２へ挿入して、搬送路２
を搬送中に、スキャナやＭＩＣＲ（Magnetic Ink Character Reader）で単票紙の画像や
磁気インクで予め印刷された情報を読み取り、印刷ヘッドで単票紙に印刷を行って、矢印
Ｂの方向へ排出する。一方、第２の印刷機構５は、開閉蓋２１に覆われた収納部に収納さ
れたロール紙から引き出された記録紙を、搬送路２とは概略垂直な方向に搬送しながら、
第１の印刷機構１と同じ印刷ヘッドで印刷を行い、矢印Ｋの方向へ排出する。
【００２７】
図２は、ロール紙を収納する収納部２２を覆う開閉蓋２１が開けられたところを示す。
プラテン２３や紙送りローラ２４が、開閉蓋２１側に取り付けられているので、開閉蓋２
１を開けることによって搬送路が開放され、ロール紙を容易に交換して記録紙をセットす
ることができる。詳細は後述する。
（第１実施形態における第１の印刷機構）
次に、図３を用いて第１の印刷機構１について詳細に説明する。図３は、プリンタを上
方から見た平面図であり、主要機器を模式的に表している。
【００２８】
Ｕ字型の搬送路２は、外側の搬送壁２ａと内側の搬送壁２ｂと、その間に形成された搬
送部２ｃから構成される。単票紙３がこの搬送部２ｃ内を、両側の搬送壁２ａ、２ｂにガ
イドされながら搬送される。Ｕ字型の搬送路２は、単票紙３の搬送方向において、入口側
直線搬送路４ａ、第１曲線搬送路４ｂ、中間直線搬送路４ｃ、第２曲線搬送路４ｄ、出口
側直線搬送路４ｅから構成されている。
【００２９】
また、搬送路２には、単票紙３を紙送りする第１搬送ローラ６と、第２搬送ローラ７と
、排出ローラ８とが備えられている。各々のローラは、駆動モータ（図示されていない）
の駆動力が伝達される駆動ローラ６ａ、７ａ、８ａと、単票紙３を駆動ローラ６ａ、７ａ
、８ａ側に押し付ける押付ローラ６ｂ、７ｂ、８ｂが備えられている。押付ローラ６ｂ、
７ｂ、８ｂは、バネ等の弾性体の付勢力によって、単票紙３を駆動ローラ６ａ、７ａ、８
ａ側に押し付けている。
【００３０】
中間直線搬送路４ｃには、単票紙３の両面の画像を読み取るスキャナ１１とスキャナ１
２が設置されている。また、スキャナ１２の隣には、磁気インクで単票紙３に予め印刷さ
れた情報を読み取るＭＩＣＲ１３が設置されている。
【００３１】
更に、出口側直線搬送路４ｅには、単票紙３に印刷を行う印刷ヘッド１４が備えられて
いる。第１実施形態では、印刷ヘッドとしてインクジェットタイプの印刷ヘッド１４が用
いられているが、ワイヤドットヘッドを初めとする様々なタイプの印刷ヘッドの適用が可
能である。印刷ヘッド１４は、キャリッジ１５に載せられており、出口側直線搬送路４ｅ
と平行な方向に移動可能である。キャリッジ１５を駆動することにより、印刷位置１８に
ある単票紙３上で印刷ヘッド１４を走査し、単票紙３に印刷を行うことができる。また、
キャリッジ１５を駆動することにより、印刷ヘッド１４を印刷位置１８から、待機位置１
９へ移動することもできる。なお、印刷位置１８近傍には、単票紙３をガイドするための
紙案内２７ａ（図４）が設けられている。
【００３２】
次に、搬送路２へ挿入された単票紙３の動きを説明する。矢印Ａから入口側直線搬送路
４ａに挿入された単票紙３は、まず第１搬送ローラ６に挟みこまれて紙送りされ、第１曲
線搬送路４ｂを経て中間直線搬送路４へ送られ、スキャナ１１を通過する。このとき、単
票紙３の１つの面の画像が読み取られる。次に、スキャナ１２を通過するときに、単票紙
３のもう一方の面の画像が読み取られる。そして、更にＭＩＣＲを通過するときに、磁気
インクで記載された情報が読み取られる。
【００３３】
単票紙３は、第１搬送ローラ６に紙送りされている間に、先端部が第２搬送ローラ７に
挟みこまれて更に紙送りされ、第２曲線搬送路４ｄを経て、出口側直線搬送路４ｅに送ら
れる。そして、単票紙３が印刷ヘッド１４を通過するとき、単票紙３に印刷が行われる。
単票紙３が第２搬送ローラ７に紙送りされている間に、先端部が排出ローラ８に挟みこま
れて更に紙送りされ、出口側直線搬送路４ｅから矢印Ｂの方向へ排出される。なお、単票
紙３を一旦印字位置１８で停止させて、印刷ヘッド１４を走査して印刷を行うようにして
もよい。
【００３４】
以上のように、第１の印刷機構１によって、単票紙３は、画像データと磁気インクによ
るデータが読み取られ、印刷が行なわれる。
（第１実施形態における第２の印刷機構）
図３に示すように、第２の印刷機構５は、ロール紙２０から引き出された記録紙に、第
１の印刷機構１と同じ印刷ヘッド１４を用いて印刷を行う。この記録紙の搬送方向は搬送
路２と概略直交しており、記録紙は紙面の手前側へ排出される。
【００３５】
図４は、図１又は図３の矢印Ｃから見た側面断面図である。この図４を用いて、第２の
印刷機構５について、詳細に説明する。図４は、開閉蓋２１が閉じられて、ロール紙２０
から引き出された記録紙２０ａが、第２の印刷機構５にセットされて印刷可能な状態にな
ったところを示している。
【００３６】
上方を開閉蓋２１で覆われた収納部２２には、ロール紙２０が収納されている。収納部
２２は、図３に示されるように、第１の印刷機構１の入口側直線搬送路４ａと出口側直線
搬送路４ｅの間に配置されている。また、開閉蓋２１は、回転軸２１ａを中心に回転して
開閉するようになっている。
【００３７】
ロール紙２０から引き出された記録紙２０ａは、搬送路２２ａに沿って印刷ヘッド１４
とプラテン２３の間を通過し、更に紙送りローラ２４と押さえローラ２８の間を通って、
先端部が排出口３０からプリンタ１００の機外へ出ている。この排出口３０には、記録紙
２０ａを手動で切断するカッタ２６が設置されている。カッタ２６は、開閉蓋２１が閉じ
られた状態では、排出口３０の外部に露出しない位置に設置されている。
【００３８】
ここで、プリンタ１００の制御部（不図示）が印刷指令を受けると、駆動モータ（図示
されていない）が回転を始め、その駆動力が紙送りローラ２４に伝達されて回転を始める
。一方、押さえローラ２８は、後述のバネ４３（図１５）で紙送りローラ２４側に付勢さ
れており、押さえローラ２８と紙送りローラ２４の間に挟んだ記録紙２０ａを紙送りロー
ラ２４側へ押し付けている。以上により、紙送りローラ２４と押さえローラ２８に挟み込
まれた記録紙２０ａは上方へ紙送りされる。
【００３９】
この紙送りによって、ロール紙２０は回転して記録紙２０ａが連続的に引き出され、搬
送路２２ａ上を印刷ヘッド１４の方へ搬送される。そして、印刷ヘッド１４とプラテン２
３の間の印刷位置において印刷が行われる。印刷された記録紙２０ａは、更に上昇して、
紙送りローラ２４と押さえローラ２８に挟まれた位置を通過して、排出口３０からプリン
タ１００の外側へ排出される。そして、所定の印刷が終了して最終印刷部分がプリンタ１
００の機外へ排出された後に紙送りが停止する。ここで、排出された記録紙２０ａを手動
でカッタ２６へ押し付けることによって、印刷を終えた記録紙２０ａを切断して取り出す
ことができる。
【００４０】
次に、開閉蓋２１を開けて、ロール紙２０を交換してセットするところを説明する。図
５は、開閉蓋２１が全開の状態になったところを示した側面断面図である。図５に示され
るように、プラテン２３と紙送りローラ２４が開閉蓋２１側に設置されている。
【００４１】
この状態でロール紙を取り出して、新たなロール紙を収納部２２へ装填する。そして、
記録紙を引き出して、搬送路２２ａに沿わせ、印刷ヘッド１４の前を通過させて、押さえ
ローラ２８とカッタ２６の前を通過させて、先端部をプリンタ１００の機外へ引き出して
おく。そして、開閉蓋２１を閉めることによって、開放されていた搬送路が閉じられ、記
録紙が、印刷ヘッド１４とプラテン２３の間にセットされて、紙送りローラ２４と押さえ
ローラ２８に挟まれる印刷可能な状態が作られる。
【００４２】
図４に示されるように、開閉蓋２１が閉じられた状態では、カッタ２６は外部に露出し
ない位置に設置されているが、カッタ２６がそのままの位置で動かずに、開閉蓋２１が開
けられた場合には、カッタ２６が外部に露出することになる。そこで、第１実施形態の第
２の印刷機構５には、カッタ２６をカバーするためのカッタ格納機構が備えられている。
下記に、このカッタ格納機構と、このカッタ格納機構を備えた開閉蓋２１の開閉機構につ
いて詳細に説明する。
（第１実施形態におけるカッタ格納機構と開閉蓋の開閉機構）
第１実施形態においては、カッタ格納機構だけでなく、開閉蓋２１には可動式プラテン
が備えられ、開閉蓋２１を開閉する場合における省スペース化を実現している。この機構
の組み合わせによって、第２の印刷機構５を、第１の印刷機構１のＵ字型の搬送路の間と
いう極めて制約されたスペースに収めることができる。
【００４３】
図５、図６、及び、図７に、開閉蓋２１が全開状態から全閉状態になるまでの動きを示
す。図５は、開閉蓋２１が全開の状態を示し、図６は、開閉蓋２１が閉じられる途中の状
態を示し、図７は、開閉蓋２１が完全に閉じられた状態を示す。また、図８は、図６の状
態におけるカッタ格納機構と可動式プラテンの詳細な状態を示す拡大図であり、図９は、
図７の状態におけるカッタ格納機構と可動式プラテンの詳細な状態を示す拡大図である。
【００４４】
まず、図５の開閉蓋２１が全開になった状態の図を用いて、カッタ格納機構と開閉蓋の
開閉機構の各部材の説明を行う。
【００４５】
開閉蓋２１は回転軸２１ａを中心に回転し、紙送りローラ２４が回転軸２４ａを介して
、開閉蓋２１の先端部に回転可能な状態で取り付けられている。また、同じ回転軸２４ａ
によって、プラテン２３が開閉蓋２１の先端部に回転可能な状態で取り付けられている。
このプラテン２３は、図示されていないバネによって、矢印Ｄの方向に付勢されている。
また、プラテン２３の両側には、ボス２３ａが取り付けられている。可動式プラテンは、
このバネで付勢された回転可能なプラテン２３と、後述する第２の印刷機構５の本体側に
設けられた摺動面３１ａ，ｂを主な構成部材として構成されている。
【００４６】
開閉蓋２１が閉じられた印刷可能な状態では、プラテン２３の印刷面を、開閉蓋２１に
対して概略直角となる印刷ヘッドと近接対向した位置に配置させる必要がある。もし、そ
の概略直角をなす状態のまま開閉蓋２１を開くと、開閉蓋２１の最大回転半径は大きくな
り、開閉中にプラテン２３と押さえローラ２８等のプリンタ本体側の部材とが干渉するの
を避けるために、押さえローラ２８等の位置を、図５において右側へ大きく逃がす必要が
ある。従って、カッタ２６や印刷ヘッドの周囲に、大きなスペースを取る必要がある。
【００４７】
この問題を解決するため、第１実施形態の可動式プラテンにおいては、開閉蓋２１の開
閉中は、プラテン２３が開閉蓋２１側に折りたたまれた状態になっている。従って、プラ
テン２３を備えた開閉蓋２１の開閉時の最大回転半径は、開閉蓋単体の回転半径から大き
く変わることがないので、プリンタ本体側の部材を大きく逃がす必要がなく、大きなスペ
ーを必要としない。
【００４８】
また、カッタ格納機構については、カッタ２６と、カッタ２６が取り付けられたアーム
２５と、これに付勢力を加える引張バネ２９と、カッタカバー２７を主要部材として構成
されている。なお、カッタカバー２７と、単票紙３をガイドするための紙案内２７ａは一
体に成型された樹脂製の部品であり、アーム２５、カッタ２６、後述するブラケット２５
ｂは、プレス加工により一体に形成された金属製の部品である。
【００４９】
第２の印刷機構５の本体側には、回転軸２５ａを介して、アーム２５が回転可能な状態
で取り付けられている。アーム２５の上端にはカッタ２６が取り付けられている。また、
アーム２５の下部にはブラケット２５ｂが設けられており、引張バネ２９が取り付けられ
ている。この引張バネ２９の引張力によって、アーム２５は矢印Ｅの方向に付勢されてい
る。この付勢力によって、カッタ２６はカッタカバー２７によって覆われる格納位置に保
持されている。従って、開閉蓋２１が開けられた状態では、カッタ２６は外部に露出しな
い状態に保たれている。
【００５０】
なお、第２の印刷機構５におけるアーム２５及び押さえローラ２８の取り付け構造の詳
細については後述する。
【００５１】
次に、図５から図９を用いて、開閉蓋２１を全開状態から閉じていくときの各部材の動
きを説明する。開閉蓋２１を図５に示される全開状態から閉じていくと、開閉蓋２１の先
端部が押さえローラ２８に接近するが、第１実施形態では、プラテン２３が開閉蓋２１内
面側に折りたたまれているので、プラテン２３と押さえローラ２８の干渉の恐れなく閉じ
ることができる。
【００５２】
続けて開閉蓋２１を閉じていくと、プラテン２３の両端のボス２３ａが、第２の印刷機
構５本体側の斜め摺動面３１ａの矢印Ｇで示される点に接触し、更に開閉蓋２１を閉じて
いくと、ボス２３ａは斜め摺動面３１ａに沿って印刷ヘッド１４側に移動する。これに従
って、プラテン２３は、バネの付勢力に抗して矢印Ｈの方向に回転していく。つまり、印
刷ヘッドの近接対向位置側へ前進していく。
【００５３】
そして、開閉蓋２１の先端部の紙送りローラ２４が、後述するローラアーム４２に取り
付けられた押さえローラ２８と接触する状態となる。この状態を図６に示し、その先端部
の拡大図を図８に示す。
【００５４】
図８において、紙送りローラ２４と押さえローラ２８が当接するのとほぼ同時に、プラ
テン２３の両端のボス２３ａとアーム２５の下方に設けられた受座２５ｃが当接する。
【００５５】
この図８に示される状態から、更に開閉蓋２１を閉じていくと、紙送りローラ２４が、
押さえローラ２８を付勢するバネ４３（図１５）の押圧力に抗して、押さえローラ２８を
右側（矢印Ｊの方向）へ押す。これに従って、ローラアーム４２（図１５）が回動し、押
さえローラ２８は右側へ移動する。なお、アーム２５の扇形の穴２５ｄは、ローラアーム
４２に支持されるローラ軸２８ａの端部が、アーム２５に干渉しないように設けられたも
のである。
【００５６】
同時に、アーム２５下部の受座２５ｃがボス２３ａに押されるので、アーム２５は、回
転軸２５ａを中心に矢印Ｉの方向へ回転して、カッタ２６はカッタカバー２７に覆われた
格納位置から、切断位置の方へ移動する。また、ボス２３ａは、斜め摺動面３１ａから、
垂直摺動面３１ｂへ移動する。
【００５７】
そして、図７、図９に示されるような開閉蓋２１が完全に閉じられた状態となる。図７
は開閉蓋２１が完全に閉じられたときの第２の印刷機構５全体を表し、図９は、その先端
部の拡大図である。
【００５８】
図９に示されるように、ボス２３ａと垂直摺動面３１ｂが係合するため、プラテン２３
は、開閉蓋２１と概略垂直な印刷ヘッドの近接対向位置にセットされる。また、受座２５
ｃがボス２３ａに押されて、アーム２５はほぼ垂直位置まで回転し、カッタ２６は、排出
口３０の切断位置にセットされる。また、紙送りローラ２４に取り付けられた歯車（図示
されていない）が、プリンタ本体側に設置された輪列（図示されていない）と噛み合って
、駆動モータの駆動力が伝達されるようになっている。
【００５９】
また、図９から明らかなように、押さえローラ２８を付勢するバネ４３（図１５）の押
圧力によって、開閉蓋２１の先端に設置された紙送りローラ２４は斜め上方から押される
ため、この開閉蓋２１は全閉状態でロック（保持）される。以上によって、第２の印刷機
構５は、プラテン２３が印刷ヘッドの近接対向位置にセットされ、カッタ２６が切断位置
にセットされた印刷可能な状態となる。
【００６０】
一方、この開閉蓋２１を開ける場合には、開閉蓋２１を手で持ち上げれば、バネ４３（
図１５）の付勢力に抗して押さえローラ２８が矢印Ｊの方向に動いてロックを解除するこ
とができる。その後の各部材の動きは、開閉蓋２１を閉じる場合と同様である。開閉蓋２
１が開かれて、ボス２３ａと受座２５ｃが接触しなくなると、引張バネ２９の付勢力によ
って、アーム２５が矢印Ｅの方向に回転して、カッタ２６は再びカッタカバー２７に覆わ
れた格納位置に保持される。
（第２実施形態におけるカッタ機構）
次に、本発明の第２実施形態のプリンタは、第１実施形態の場合とカッタ機構の構造が
異なっている。第２実施形態における第１の印刷機構１の構成は、第１実施形態における
第１の印刷機構１と同様であるため、説明を省略する。
【００６１】
次に、第２実施形態における第２の印刷機構５については、全体の構成は第１実施形態
の場合と共通であるが、カッタ機構としてのカッタ退避機構が備えられている。第２実施
形態においては、カッタ退避機構と開閉蓋２１の可動式プラテンとの組み合わせにより、
省スペース化を実現している。
【００６２】
第２実施形態における第２の印刷機構５のカッタ退避機構の構造について、図１０及び
図１１を用いて説明する。図１０は、第２の印刷機構５の開閉蓋２１が閉じられる途中の
状態において、カッタ退避機構と可動式プラテンの詳細な状態を示す拡大図である。また
、図１１は、第２の印刷機構５の開閉蓋２１が完全に閉じられた状態において、カッタ退
避機構と可動式プラテンの詳細な状態を示す拡大図である。なお、図１０及び図１１にお
いては、第１実施形態のプリンタ１００と同様の部材については同一番号を付して説明を
行うものとする。
【００６３】
第２実施形態の図１０及び図１１を、第１実施形態の図８、図９と比較すると、第２実
施形態における第２の印刷機構５に設置されたカッタ３２及びカッタカバー３３の形状に
相違がある。第１実施形態においては、カッタ２６の根元から刃先に至るまで直線状の形
状を有するが、第２実施形態においては、カッタ３２の根元から刃先に至る途中で鈍角に
屈曲した形状を有している。そして、図１０に示すように、開閉蓋２１が閉じていない状
態のとき、カッタ３２の刃先側面がカッタカバー３３の内壁３３ａに当接された状態の退
避位置に配置される。一方、図１１に示すように、開閉蓋２１が閉じた状態のとき、カッ
タ３２の先端側はカッタカバー３３の内壁３３ａから離れた状態の切断位置に配置される
。
【００６４】
第２の印刷機構５において、開閉蓋２１を全開状態から閉じていくときの各部材の動き
を説明する。図１０に示すように、開閉蓋２１を全開状態から閉じていくと、開閉蓋２１
の先端部が押さえローラ２８に接近する。このとき、第１実施形態と同様、プラテン２３
が開閉蓋２１の内面側に折りたたまれているので、プラテン２３と押さえローラ２８が干
渉することはない。更に開閉蓋２１を閉じていくと、プラテン２３の両端のボス２３ａが
斜め摺動面３１ａの矢印Ｇで示される点に接触した後、ボス２３ａが斜め摺動面３１ａに
沿って印刷ヘッド１４側に移動する。これにより、プラテン２３がバネの付勢力に抗して
矢印Ｈの方向、すなわち印刷ヘッドの近接対向位置側へ移動していく。
【００６５】
なお、第２の印刷機構５におけるアーム２５及び押さえローラ２８の取り付け構造の詳
細については後述する。
【００６６】
一方、アーム２５下部の受座２５ｃがボス２３ａに押されるので、アーム２５は、回転
軸２５ａを中心に矢印Ｉの方向へ回転する。これにより、カッタ３２はカッタカバー３３
の内壁３３ａに当接する退避位置から、所定距離だけ離れた切断位置の方へ移動する。ま
た、ボス２３ａは、斜め摺動面３１ａから垂直摺動面３１ｂへ移動する。
【００６７】
続いて、第２の印刷機構５の開閉蓋２１が完全に閉じられると、図１１に示すような状
態になる。図１１において、上述のように移動したボス２３ａは垂直摺動面３１ｂと係合
した状態となるため、プラテン２３が開閉蓋２１と概略垂直な印刷ヘッドの近接対向位置
にセットされる。そして、アーム２５は、受座２５ｃがボス２３ａに押されることにより
垂直位置まで回転するため、カッタ３２が排出口３０の切断位置にセットされる。
【００６８】
また、押さえローラ２８の付勢力により開閉蓋２１の先端に設置された紙送りローラ２
４が斜め上方から押されるため、開閉蓋２１が全閉状態でロックされる。これにより、プ
ラテン２３が印刷ヘッドの近接対向位置にセットされ、かつ、カッタ３２が切断位置にセ
ットされるので、第２の印刷機構５によって印刷可能な状態となる。
【００６９】
一方、開閉蓋２１を開ける際に上方に持ち上げると、押さえローラ２８が矢印Ｊの方向
に動いて開閉蓋２１のロックを解除することができ、その後は、開閉蓋２１を閉じる場合
と同様に各部材が動く。開閉蓋２１が開くことによりボス２３ａと受座２５ｃが接触しな
くなると、引張バネ２９の付勢力によりアーム２５が矢印Ｅの方向に回転する。これによ
り、カッタ３２は、再びカッタカバー３３の内壁３３ａに当接する退避位置に保持される
ことになる。
【００７０】
以上説明した第２実施形態におけるカッタ機構によれば、開閉蓋２１が閉じた状態でカ
ッタ３２が切断位置にある場合に、最も切れ味が良好になるようにカッタ３２の刃先側面
の角度が設定されている。そして、開閉蓋２１が開いた状態で、カッタ３２の刃先側面が
、カッタカバー３３の内壁３３ａに当接されることによりカッタ３２がカッタカバー３３
と一体的な配置となるので、プリンタの省スペース化を図ることができる。
（第２実施形態におけるカッタ機構の変形例）
次に、上述の第２実施形態におけるカッタ機構の変形例について説明する。この変形例
では、カッタ自体の構造は図１０、図１１と同様であるが、カッタ機構を第１実施形態と
同様にカッタ格納機構として構成した場合の例である。
【００７１】
以下、第２実施形態の変形例における第２の印刷機構５のカッタ格納機構の構造につい
て、図１２及び図１３を用いて説明する。図１２は、第２の印刷機構５の開閉蓋２１が閉
じられる途中の状態において、カッタ格納機構と可動式プラテンの詳細な状態を示す拡大
図である。また、図１３は、第２の印刷機構５の開閉蓋２１が完全に閉じられた状態にお
いて、カッタ退避機構と可動式プラテンの詳細な状態を示す拡大図である。なお、図１２
及び図１３においては、図１０及び図１１と同様の部材については同一番号を付して説明
を行うものとする。
【００７２】
図１２及び図１３に示す第２の印刷機構５は、第１実施形態における図８、図９の場合
と大部分は共通しているが、カッタ３４及びカッタカバー３５の形状に相違がある。本変
形例においても、カッタ３４の根元から刃先に至る途中で鈍角に屈曲した形状を有し図１
０、図１１の場合と共通するが、図１２から明らかなように、この変形例では開閉蓋２１
が閉じていないときの状態が異なっている。すなわち、カッタ３４の刃先側面がカッタカ
バー３５の内壁３５ｂには当接されず、カッタ３４の刃先がカッタカバー３５の内壁３５
ａに覆われる格納位置に配置される。
【００７３】
本変形例の第２の印刷機構５において、開閉蓋２１を全開状態から閉じていくときの各
部材の動きは、第１実施形態と同様、プラテン２３と押さえローラ２８が干渉することな
く、プラテン２３の両端のボス２３ａが斜め摺動面３１ａの矢印Ｇで示される点に接触し
た後、ボス２３ａが斜め摺動面３１ａに沿って印刷ヘッド１４側に移動する。そして、プ
ラテン２３がバネの付勢力に抗して矢印Ｈの方向、すなわち印刷ヘッドの近接対向位置側
へ移動していく。
【００７４】
図１２においては、開閉蓋２１を閉じていくときの送りローラ２４と押さえローラ２８
の移動の状態は、上述の図１０の場合と同様となり、最終的にアーム２５下部の受座２５
ｃがボス２３ａに押され、アーム２５が回転軸２５ａを中心に矢印Ｉの方向へ回転するこ
とになる。これにより、カッタ３４はカッタカバー３５に覆われる格納位置から、所定距
離だけ離れた切断位置の方へ移動する。また、ボス２３ａは、斜め摺動面３１ａから垂直
摺動面３１ｂへ移動する。
【００７５】
続いて、第２の印刷機構５の開閉蓋２１が完全に閉じられると、図１３に示すような状
態になる。図１３においては、プラテン２３がセットされる位置は、図１１と同様になっ
ている。すなわち、カッタ３４が排出口３０の切断位置にセットされるとともに、プラテ
ン２３が印刷ヘッドの近接対向位置にセットされ、これにより第２の印刷機構５によって
印刷可能な状態となる。
【００７６】
さらに、閉じた状態の開閉蓋２１を開ける際は、上述したような動作で各部材が動き、
アーム２５が矢印Ｅの方向に回転する。これにより、カッタ３４は、再びカッタカバー３
５に覆われた格納位置に保持されることになる。
【００７７】
以上説明した第２実施形態の変形例おけるカッタ機構では、開閉蓋２１が閉じた状態で
カッタ３４が切断位置にある場合に、最も紙の切れ味が良好な角度になるように、刃先を
屈曲させている。即ち、カッタ３４の刃先の屈曲した部分の角度は、切れ味の観点から適
切な角度に設定されている。更に、第２実施形態の変形例おけるカッタカバーの形状は、
カッタ３４の刃先の屈曲した部分の角度に応じた形状にしている。このように、カッタカ
バー３５の形状を、格納位置にあるカッタ３４の刃先の屈曲した部分の角度に応じた形状
にすることにより、即ち、カッタカバー３５の内壁をカッタ３４の刃先の屈曲した部分と
略平行にすることにより、カッタ３４を狭いスペースに格納することでき、プリンタ１０
０の省スペース化を図ることができる。
【００７８】
なお、この変形例（図１２、１３）では、カッタ３４が格納位置に配置されたときに、
カッタ３４の刃先側面がカッタカバー３５の内壁には当接しないようにしたが、第２の実
施形態（図１０、図１１）のように、カッタ３４の刃先側面がカッタカバー３５の内壁に
当接するようにしてもよい。即ち、カッタが格納位置に配置されたときに、カッタの刃先
をカッタカバーで覆うと共に、カッタの刃先側面をカッタカバーの内壁の一部に当接させ
てもよい。
（第２の印刷機構におけるアーム２５及び押さえローラ２８の取り付け構造）
ここで、第１実施形態と第２実施形態及びその変形例に関し、第２の印刷機構５におけ
るアーム２５及び押さえローラ２８の取り付け構造について説明する。なお、これら第１
実施形態、第２実施形態及びその変形例に対しての説明は共通するので、代表して図１０
及び図１１の第２実施形態に対応する取り付け構造を説明する。
【００７９】
図１４は、第２実施形態におけるプリンタ１００の要部の斜視図であり、図１５は、図
１４に示すプリンタ１００の要部の各部材を取り付けた状態の斜視図である。図１４及び
図１５においては、上述の収納部２２、アーム２５、押さえローラ２８、カッタ３２、カ
ッタカバー３３等の部材に加えて、ホルダ４０、フレーム４１、ローラアーム４２を示し
ている。
【００８０】
図１４に示すように、収納部２２の下方に設けられたホルダ４０が、骨組みとしてのフ
レーム４１に支持されている。このフレーム４１の前面側には、紙案内２７aが取り付け
られるとともに、回転軸２５aが設けられている。そして、回転軸２５ａには、アーム２
５が穴２５ｅを介して取り付けられ、さらにローラアーム４２が穴４２ａを介して取り付
けられている。一方、ローラアーム４２に設けられたローラ軸受け４２ｂには、押さえロ
ーラ２８がローラ軸２８ａを介して回転可能に取り付けられている。このように、カッタ
３２が設けられているアーム２５と、押さえローラ２８が取り付けられているローラアー
ム４２は、回転軸２５に対して各々独立に回動できるように構成されている。
【００８１】
カッタカバー３３と一体的に形成された紙案内２７ａは、その下部にネジ穴２７ｂが設
けられ、ホルダ４０の下部とネジにより締結される。カッタカバー３３の端部には、下方
が凹状になっている一対の凹部３３ｂが形成され、フレーム４１に形成された一対の突起
部４１ａは一対の凹部３３ｂと係合する構造になっている。このようにフレーム４１とカ
ッタカバー３３が一体化され、フレーム４１の回転軸２１ａを回転して開閉蓋２１が閉じ
た状態になったとき、プラテン２３の印刷面がカッタカバー３３の下方の開口部に配置さ
れることになる。
【００８２】
フレーム４１には、ブラケット４１ｂとブラケット４１ｃが設けられている。そして、
図１５に示すように、フレーム４１のブラケット４１ｂとアーム２５のブラケット２５ｂ
の間には、アーム２５を付勢する上述の引張りバネ２９が取り付けられている。この引張
りバネ２９は、アーム２５をカッタカバー３３の側（図９、１０における矢印Ｅ方向）に
押さえ付ける力を発生する。また、フレーム４１のブラケット４１ｃとローラアーム４２
のブラケット４２ｃの間には、ローラアーム４２を付勢するバネ４３が取り付けられてい
る。このバネ４３は、上述したように押さえローラ２８を紙送りローラ２４の側に押さえ
付ける力を発生する。
（その他の実施形態）
上述の各実施形態では、カッタ機構だけでなく、可動式プラテンが組み合わされている
が、カッタ機構のみが備えられている場合も考えられる。
【００８３】
また、上述の実施形態では、カッタとして手動式のカッタが記述されているが、カッタ
機構は、オートカッタの固定刃の格納等にも適用できる。
【００８４】
また、上述の各実施形態では、Ｕ字型の搬送路を有するプリンタと組み合わされた場合
が記述されているが、このＵ字型の搬送路を有するプリンタを有さない場合も考えられる
。
【００８５】
また、上述の各実施形態では、開閉蓋２１を開ける場合には、開閉蓋２１を手で持ち上
げる例を示したが、収納部２２の側部に押しボタンを設け、押しボタンを押すと梯子状の
レバーによって開閉蓋２１を下方から押し上げるようにしてもよい。
【００８６】
更に、上述の各実施形態では、押さえローラ２８は、ローラアーム４２に回転可能に取
り付けられていたが、押されローラ２８の軸２８ａをアーム２５の扇形の穴２５ｄに摺動
可能に取り付けると共に、押さえローラ２８を紙送りローラ２４側に付勢するバネを設け
るようにしてもよい。この場合、押さえローラ２８を支持するローラアーム４２は不要と
なる。
【００８７】
更に、本発明の実施形態は、上述の実施形態には限られず、その他様々な実施形態が考
えられる。
【図面の簡単な説明】
【００８８】
【図１】第１実施形態のプリンタ全体の構成を示す斜視図であり、開閉蓋が閉じられた状態を示す図である。
【図２】第１実施形態のカッタ格納機構をプリンタの外形を示す斜視図であり、開閉蓋が開かれた状態を示す。
【図３】第１実施形態のカッタ格納機構を備えたプリンタにおいて、第１の印刷機構の概要を示す平面図である。
【図４】第１実施形態のカッタ格納機構を備えたプリンタにおいて、第２の印刷機構の概要を示す側面断面図である。
【図５】第１実施形態のカッタ格納機構を備えたプリンタにおいて、第２の印刷機構の開閉蓋が全開の状態を示した側面断面図である。
【図６】第１実施形態のカッタ格納機構を備えたプリンタにおいて、第２の印刷機構の開閉蓋が閉じられる途中の状態を示した側面断面図である。
【図７】第１実施形態のカッタ格納機構を備えたプリンタにおいて、第２の印刷機構の開閉蓋が全閉の状態を示した側面断面図である。
【図８】図６の状態における開閉蓋の先端部分の詳細を示す拡大図である。
【図９】図７の状態における開閉蓋の先端部分の詳細を示す拡大図である。
【図１０】第２実施形態のカッタ待避機構を備えたプリンタにおいて、第２の印刷機構の開閉蓋が閉じられる途中の状態における開閉蓋の先端部分の詳細を示す拡大図である。
【図１１】第２実施形態のカッタ退避機構を備えたプリンタにおいて、第２の印刷機構の開閉蓋が完全に閉じられた状態における開閉蓋の先端部分の詳細を示す拡大図である。
【図１２】第２実施形態の変形例のカッタ待避機構を備えたプリンタにおいて、第２の印刷機構の開閉蓋が閉じられる途中の状態における開閉蓋の先端部分の詳細を示す拡大図である。
【図１３】第２実施形態の変形例のカッタ格納機構を備えたプリンタにおいて、第２の印刷機構の開閉蓋が完全に閉じられた状態における開閉蓋の先端部分の詳細を示す拡大図である。
【図１４】第２の印刷機構におけるアーム及び押さえローラの取り付け構造について説明する図であって、第２実施形態におけるプリンタの要部の斜視図である。
【図１５】図１４に示すプリンタの要部の各部材を取り付けた状態の斜視図である。
【符号の説明】
【００８９】
１      第１の印刷機構
２      搬送路
２ａ    外側の搬送壁
２ｂ    内側の搬送壁
２ｃ    搬送部
３      単票紙
４ａ    入口側直線搬送路
４ｂ    第１曲線搬送路
４ｃ    中間直線搬送路
４ｄ    第２曲線搬送路
４ｅ    出口側直線搬送路
５      第２の印刷機構
６      第１搬送ローラ
６ａ    駆動ローラ
６ｂ    押付ローラ
７      第２搬送ローラ
７ａ    駆動ローラ
７ｂ    押付ローラ
８      排出ローラ
８ａ    駆動ローラ
８ｂ    押付ローラ
１１    スキャナ
１２    スキャナ
１３    ＭＩＣＲ
１４    印刷ヘッド
１５    キャリッジ
１８    印刷位置
１９    待機位置
２０    ロール紙
２１    開閉蓋
２１ａ  回転軸
２２    収納部
２２ａ  搬送路
２３    プラテン
２３ａ  ボス
２４    紙送りローラ
２４ａ  回転軸
２５    アーム
２５ａ  回転軸
２５ｂ  ブラケット
２５ｃ  受座
２５ｄ  穴
２６    カッタ
２７    カッタカバー
２７ａ  紙案内
２７ｂ  ネジ穴
２８    押さえローラ
２８ａ  回転軸
２９    引張バネ
３０    排出口
３１ａ  斜め摺動面
３１ｂ  垂直摺動面
３２    カッタ
３３    カッタカバー
３３ａ  カッタカバーの内壁
３３ｂ  凹部
３４    カッタ
３５    カッタカバー
４０    ホルダ
４１    フレーム
４１ａ  突起部
４１ｂ  ブラケット
４１ｃ  ブラケット
４２    ローラアーム
４２ａ  穴
４２ｂ  ローラ軸受け
４２ｃ  ブラケット
４３    バネ
１００  プリンタ
【図１】
2005161832.tif 000003
【図２】
2005161832.tif 000004
【図３】
2005161832.tif 000005
【図４】
2005161832.tif 000006
【図５】
2005161832.tif 000007
【図６】
2005161832.tif 000008
【図７】
2005161832.tif 000009
【図８】
2005161832.tif 000010
【図９】
2005161832.tif 000011
【図１０】
2005161832.tif 000012
【図１１】
2005161832.tif 000013
【図１２】
2005161832.tif 000014
【図１３】
2005161832.tif 000015
【図１４】
2005161832.tif 000016
【図１５】
2005161832.tif 000017